(57)【特許請求の範囲】
【請求項１】
四角形に枠組みされたスクリーン枠における一対の対向する枠材の対面部にそれぞれ凹溝を形成し、該凹溝内に、該枠材の長手方向に沿うスリットを設けたインナーレールを収容し、上記一対の枠材に取り付けるスクリーンの一対の側端に沿って、上記スリットの内側に沿って摺動自在に係合する多数の係合部片を設け、それらを上記スリットの内側に係合させ、上記スクリーンにおける他の一対の対向辺には、それぞれ上記スクリーン枠に離脱可能に保持させた操作用桟を取り付け、該操作用桟によって該スクリーンをインナーレールのスリットに沿って導出入可能にしたスクリーン装置において、
上記スクリーン枠の表面におけるスクリーンの操作用桟が導出入する側の枠材の内側端に、スクリーンの対向辺に設けた一対の操作用桟が弾性的に着脱自在に嵌入係止される凹所を形成し、上記操作用桟は、該凹所に嵌入するスクリーン連結部と凹所への着脱操作のために該連結部の外面から凹所外まで延びる操作部とを備え、該操作用桟の長さは、インナーレールを収容したスクリーン枠の一対の対向する枠材間の内法よりも短いものとし、
上記スクリーン枠については、それを設置する建物開口部の形態に適合させるための構造部分を除き、上記スクリーン枠及び上記一対の操作用桟の形状を上下対称状に形成し、スクリーンをその両端のいずれの操作用桟の方向にも出し入れ可能に形成した、
ことを特徴とするスクリーン装置。
【請求項２】
上記一対の操作用桟のスクリーン連結部を、上記凹所に嵌入する筒状に形成し、該スクリーン連結部におけるスクリーンの端部に接する面にスリットを設けて、スクリーンの上下端に取り付けた多数の係合部片をその内側に係合させることにより、該スクリーンを着脱可能にし、該連結部の外面から凹所外まで延びる上記操作部は、それ自体の弾性変形により外面に設けた突条を凹所内の係合溝に係止させて、操作用桟を凹所に着脱自在にしている、
ことを特徴とする請求項１に記載のスクリーン装置。
【発明の詳細な説明】
【技術分野】
【０００１】
本発明は、スクリーン枠に対してスクリーンを張設し、或いは張設したスクリーンをメンテナンス等のために取り外すに際し、それらの操作を容易にしたスクリーン装置に関するものである。
【背景技術】
【０００２】
近年、高層マンション等に設置された網戸が落下するなどにより発生する事故を防止するため、該マンション等の網戸を建物開口部枠に固定したり、網戸そのものをサッシの室内側に設置したりするなど対応策が常態化しつつある。このような状況下では、網戸におけるネットの張り替えや洗浄を一般のユーザーに行わせるのは、上記事故の発生を十分に防止できるとは言えず、専門的な技術を有する作業者であっても安全性に疑問がある。
【０００３】
このような観点から、建物開口部において、網戸枠に防虫用等のスクリーンを、洗浄等のメンテナンスや交換等のために着脱可能にしたスクリーン装置は、既に特許文献１等において開示されている。該特許文献１に開示のスクリーン装置におけるスクリーンの取り付けは、窓用サッシの室内側に位置する左右一対の縦枠の対向部位に、該縦枠の長手方向に沿うスリットを設け、スクリーンの左右側端に沿って設けた係合部片を該スリットの内側に沿って上下摺動可能に係合させることによって行っている。そして、該スクリーンの上下端に着脱自在の保持部材を取り付け、それらを建物開口部の上下枠に着脱自在に保持させると共に、縦枠の摺動溝に沿って上下にガイド可能に構成しているが、スクリーンの着脱操作が容易なものではない。
【先行技術文献】
【特許文献】
【０００４】
【特許文献１】特開２０１２−１７２５０４号公報
【発明の概要】
【発明が解決しようとする課題】
【０００５】
本発明の技術的課題は、四角形に枠組みされたスクリーン枠に対してスクリーンを張設し、或いは張設したスクリーンをメンテナンス等のために取り外すに際し、それらの操作を容易にしたスクリーン装置を提供することにある。
【課題を解決するための手段】
【０００６】
上記課題を解決するため、本発明によれば、四角形に枠組みされたスクリーン枠における一対の対向する枠材の対面部にそれぞれ凹溝を形成し、該凹溝内に、該枠材の長手方向に沿うスリットを設けたインナーレールを収容し、上記一対の枠材に取り付けるスクリーンの一対の側端に沿って、上記スリットの内側に沿って摺動自在に係合する多数の係合部片を設け、それらを上記スリットの内側に係合させ、上記スクリーンにおける他の一対の対向辺には、それぞれ上記スクリーン枠に離脱可能に保持させた操作用桟を取り付け、該操作用桟によって該スクリーンをインナーレールのスリットに沿って導出入可能にしたスクリーン装置において、上記スクリーン枠の表面におけるスクリーンの操作用桟が導出入する側の枠材の内側端に、スクリーンの対向辺に設けた一対の操作用桟が弾性的に着脱自在に嵌入係止される凹所を形成し、上記操作用桟は、該凹所に嵌入するスクリーン連結部と凹所への着脱操作のために該連結部の外面から凹所外まで延びる操作部とを備え、該操作用桟の長さは、インナーレールを収容したスクリーン枠の一対の対向する枠材間の内法よりも短いものとし、上記スクリーン枠については、それを設置する建物開口部の形態に適合させるための構造部分を除き、上記スクリーン枠及び上記一対の操作用桟の形状を上下対称状に形成し、スクリーンをその両端のいずれの操作用桟の方向にも出し入れ可能に形成したことを特徴とするスクリーン装置が提供される。
【０００７】
本発明に係るスクリーン装置の好ましい実施形態においては、上記一対の操作用桟のスクリーン連結部を、上記凹所に嵌入する筒状に形成し、該スクリーン連結部におけるスクリーンの端部に接する面にスリットを設けて、スクリーンの上下端に取り付けた多数の係合部片をその内側に係合させることにより、該スクリーンを着脱可能にし、該連結部の外面から凹所外まで延びる上記操作部は、それ自体の弾性変形により外面に設けた突条を凹所内の係合溝に係止させて、操作用桟を凹所に着脱自在にすることが望まれる。
【発明の効果】
【０００８】
以上に詳述した本発明のスクリーン装置によれば、四角形に枠組みされたスクリーン枠に対してスクリーンを張設し、或いは張設したスクリーンをメンテナンス等のために取り外すに際し、それらの操作を容易にしたスクリーン装置を提供することができる。
【図面の簡単な説明】
【０００９】
【図１】本発明に係るスクリーン装置の実施例におけるスクリーンの弛緩状態を示すもので、（ａ）は右半のみを断面によって示す正面図、（ｂ）は右半のみを横断面によって示す平面図である。
【図２】同実施例におけるスクリーンの緊張状態を示すもので、（ａ）は右半のみを断面によって示す部分正面図、（ｂ）は右半のみの部分平面図である。
【図３】同実施例の縦断面図である。
【図４】同実施例の外観斜視図である。
【図５】図４におけるスクリーンの一部を引き出した状態の斜視図である。
【図６】同実施例におけるスクリーンの緊張程度の調整部材及びその操作子の構成を分解して示す要部分解斜視図である。
【図７】（ａ）は上記調整部材の弛緩状態、（ｂ）はその緊張状態を示す動作説明図である。
【発明を実施するための形態】
【００１０】
図１〜図７は、本発明に係るスクリーン装置の実施例を示している。このスクリーン装置は、基本的には、四角形に枠組みされたスクリーン枠１に対してスクリーン４を張設し、或いは張設したスクリーン４をメンテナンス等のために該スクリーン枠１から取り外すに際し、それらの操作を容易にするだけでなく、張設後に該スクリーン４を容易に緊張状態に保持できるようにしたものであり、特に、高層のマンション等において、網戸を落下事故防止のために建物開口部枠に固定した場合などにおいて、網戸枠をサッシ等に固定したままでスクリーンのみを取り外すことで、該スクリーンの張り替えや洗浄を容易且つ安全に行うために有効なものである。
【００１１】
上記スクリーン装置の構成について具体的に説明すると、スクリーン枠１は、防虫網等のスクリーン４を張設するために上下一対の枠材２，２及び左右各一対の枠材３，３を四角形に枠組みしたもので、一対の対向する左右の枠材３，３の内側の対面部に、それぞれ凹溝６を形成し、該凹溝６内に、該枠材３，３の長手方向に沿うスリット９を設けたインナーレール８を、該凹溝６内において出没方向の移動をガイドされた支持部材１０を介して収容している。なお、上記インナーレール８は、支持部材１０に固定し、或いはそれと一体化したものとして構成してもよい。また、上記一対の枠材３，３間に張設するスクリーン４には、その左右側端に沿って、上記スリット９の内側に沿って摺動自在に係合させる多数の係合部片１２を設け、これらの係合部片１２を上記インナーレール８のスリット９の内側に係合させることにより、左右の枠材３，３間にスクリーン４を保持させるように構成している。係合部片１２としては、ファスナーの半体を利用することができる。
【００１２】
一方、図３及び図５において明瞭に示すように、上記スクリーン４における上下の一対の対向辺には、それぞれ、上記スクリーン枠１に離脱可能に保持させた操作用桟１５を取り付けている。これらの操作用桟１５は、スクリーン枠１の上下の枠材２，２の表面の内側端に設けた凹所１８に嵌入する角筒状のスクリーン連結部１６と該連結部１６の外面から凹所１８外まで延びる操作部１７とを備えている。上記スクリーン連結部１６は、スクリーン４の端部に接する面にスリット１６ａを設けて、スクリーン４の上下端に取り付けた多数の係合部片４ａをその内側に係合させることにより、該スクリーン４を着脱可能にしたものであり、また、上記操作部１７は、凹所１８外まで延びて操作用桟１５の凹所１８への着脱操作を容易にすると同時に、それ自体の弾性変形により外面に設けた突条１７ａを凹所１８内の係合溝１８ａに係合させ、操作用桟１５を凹所１８に着脱自在に嵌入係止させ得るものである。
【００１３】
上記スクリーン枠１に対するスクリーン４の組み付けは、該スクリーン枠１の左右の枠材３，３内に挿入しているインナーレール８のスリット９の内側に、一対のインナーレール８の一端側からスクリーン４の係合部片１２を挿入して、インナーレール８の全長にわたり該スクリーン４を張設し、スクリーン４に上下方向の弛みがない状態において、スクリーン４の上下の対向辺に設けた一対の操作用桟１５を、スクリーン枠１の表面の凹所１８に嵌入係止させることにより行うものである。
【００１４】
以下において詳述するように、上記スクリーン４を上記インナーレール８のスリット９間に張設する段階においては、インナーレール８に対する係合部片１２の摺動が円滑であることが必要であり、そのため、図２を参照して後述するように緊張機構を弛緩させ、スクリーン枠１の左右の枠材３，３内の一対のインナーレール８は、スクリーン４に緊張を与えない間隔が保持されるように、枠材３，３の内側の凹溝６の口部側に位置するようにしておく必要がある（図１参照）。
【００１５】
また、上記操作用桟１５を両端に取り付けたスクリーン４を左右の枠材３，３間から円滑に取り外すためには、上記操作用桟１５の長さを、スクリーン枠１におけるインナーレール８を内部に収容した一対の対向する枠材３，３間の内法よりも短いものとしておけばよく、図５から分かるように、一方の操作用桟１５を凹所１８から取り出してそれに連結されているスクリーン４を引き出す際に、そのスクリーン４に随伴する他方の操作用桟１５が、インナーレール８のスリット９に係合する係合片１２により拘束されてスクリーン枠１内から大きく脱出することがなく、左右の枠材３，３間を移動することになる。該スクリーン４をスリット９に沿ってスクリーン枠１に導入する場合には、スクリーン４を上記とは逆の方向に移動させればよい。
【００１６】
図３〜図５を参照して上述したところから明らかなように、スクリーン４の上下端に取り付ける上記操作用桟１５は、それぞれ断面形状が同じものを使用し、それをスクリーン４の上下に対称状に配置することができ、そのため、スクリーン枠１の上下の枠材２における凹所１８の形状も対称状に設け、結果的に、スクリーン４を張設したスクリーン枠１は、それを設置する建物開口部のサッシ等の形態に適合させるために下部の枠材２に付設する転輪１９ａと、上部の枠材２に付設するガイド部材１０ｂとを除いて、上下対称状に形成することができる。また、上記対称形状は、上下の操作用桟１５の選択によりスクリーンをスクリーン枠１の上下いずれの方向にも引き出すことを可能にするものであり、特に、スクリーン４の取り外しを行う際に、このスクリーン枠の設置位置やその周囲の環境等に応じて、該スクリーン枠１からのスクリーン４の導出方向を自由に選択できるようにした構成は、作業の安全性を確保するために非常に有効なものである。
【００１７】
次に、上記スクリーン枠１における左右の枠材３，３内のスリット９間にスクリーン４を張設し、該スクリーン４に上下方向の弛みがない状態で、スクリーン４の上下に設けた一対の操作用桟１５をスクリーン枠１の表面の凹所１８に嵌入係止させた後に、上記スクリーン枠１内に張設されたスクリーン４をピンと張った綺麗な仕上がりにするための緊張機構について説明する。
【００１８】
上述の本発明に係るスクリーン装置の実施例における上記緊張機構の詳細は、図１、図２、図６及び図７に示している。この緊張機構は、基本的には、上記枠材３の凹溝６内に収容したインナーレール８を該凹溝６内において出没方向に移動させて、スクリーン４の緊張程度を調整する調整部材２０を備えると共に、それらを操作する操作子２５を枠材３の外面から容易に操作可能に設けたものである。
【００１９】
実施例の緊張機構について更に具体的に説明すると、上記一対の枠材３，３に設ける調整部材２０は、図６及び図７に示すように、上記枠材３の凹溝６内においてインナーレール８を保持する支持部材１０に雌ネジ部片２１を取付ネジ２３で固定することにより構成し、該調整部材２０を操作する操作子２５は、上記雌ネジ部片２１のネジ孔２２に螺挿されている螺杆２６により構成している。該螺杆２６は、スクリーン枠１の枠材３に対してドライバー等の工具２９により回転は可能であるが、軸線方向移動を制限するカバー２７等の付設で該移動が不能に保持されたものである。
【００２０】
従って、図７の（ａ）に矢印Ａで示す方向にドライバー２９で螺杆２６を回転させると、雌ネジ部片２１が矢印ａ方向に移動し、結果的に、インナーレール８が同矢印ａ方向に移動してスクリーン４を弛緩させる位置をとり、逆に、同図（ｂ）に矢印Ｂで示す方向にドライバー２９で螺杆２６を回転させると、雌ネジ部片２１が矢印ｂ方向に移動し、結果的に、インナーレール８が同矢印ｂ方向に移動してスクリーン４を緊張させる位置をとるようになる。
【００２１】
かかる構成の緊張機構によれば、スクリーン枠１からスクリーン４を取り外し、或いは、スクリーン枠１にスクリーン４を取り付ける際には、図７の（ａ）に示す操作でスクリーン４を弛緩させる位置に調整し、スクリーン４をスクリーン枠１に装着した後に、スクリーン４の緊張程度を確かめながら、図７の（ｂ）に示す操作で該スクリーンを適度に緊張させる位置に調整すればよく、これらの操作は、操作子２５である螺杆２６を枠材３の外面から操作可能に設けているので、操作が非常に容易であって、操作の安全性を容易に確保することができる。
【００２２】
なお、図示の例では、枠材３の凹溝６内において、インナーレール８を支持する支持部材１０に雌ネジ部片２１を付設しているが、インナーレール８と支持部材１０を一体のものとして、操作子２５の操作でそれに湾曲等の変形が生じないように構成できれば、その一体化したインナーレール８に上記雌ネジ部片２１をも一体化したものとして構成することができる。また、図示の実施例では、上記緊張機構をスクリーン枠１の左右の枠材３にそれぞれ設けているが、操作の安全性を高めるためには、左右の一方のみの枠材３に設けることができる。
【符号の説明】
【００２３】
１    スクリーン枠
２，３    枠材
４    スクリーン
６    凹溝
８    インナーレール
９    スリット
１２    係合部片
１５    操作用桟
１６    スクリーン連結部
１７    操作部
１８    凹所
【図１】
0006469600.tif 000002
【図２】
0006469600.tif 000003
【図３】
0006469600.tif 000004
【図４】
0006469600.tif 000005
【図５】
0006469600.tif 000006
【図６】
0006469600.tif 000007
【図７】
0006469600.tif 000008